【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
表示装置と、この表示装置の表示面に情報入力領域を位置させて所定物体による情報入力を検出する情報入力装置と、この情報入力装置からの入力に応じてアプリケーションプログラムを実行する制御装置と、を備える情報入出力システムにおいて、
前記情報入力領域における所定物体による情報入力に応じ、前記アプリケーションプログラムに基づいて前記表示装置に表示されているアプリケーション画像に対する上書き画像を描画する描画手段と、
この描画手段により描画された前記上書き画像を、前記情報入力領域における所定物体による情報入力の際にアクティブになっていた前記アプリケーションプログラムに対応付ける上書き画像対応付け手段と、
を備えることを特徴とする情報入出力システム。
【請求項２】
前記上書き画像対応付け手段は、前記アプリケーションプログラムの前記アプリケーション画像が前記表示装置の表示面を移動する際に、描画された前記上書き画像を当該アプリケーション画像に対応付けることを特徴とする請求項１記載の情報入出力システム。
【請求項３】
前記アプリケーションプログラムまたは前記アプリケーションプログラムの前記アプリケーション画像に対応付けられた前記上書き画像は、当該アプリケーションプログラムが終了する際に、記憶部に保存されることを特徴とする請求項１または２記載の情報入出力システム。
【請求項４】
前記アプリケーションプログラムの前記アプリケーション画像に対応付けられた前記上書き画像を前記表示装置に一覧表示する上書き画像一覧表示手段と、
この上書き画像一覧表示手段により一覧表示された複数の前記上書き画像から一の前記上書き画像を選択可能とする上書き画像選択手段と、
この上書き画像選択手段により選択された前記上書き画像を前記アプリケーション画像とともに表示する上書き画像再表示手段と、
を備えることを特徴とする請求項１ないし３のいずれか一記載の情報入出力システム。
【請求項５】
当該アプリケーションプログラムの前記アプリケーション画像に対応付けられた前記上書き画像について、前記アプリケーション画像とともに保存するか、前記上書き画像のみを保存するか、保存しないかのいずれかを選択させる保存方法選択手段を備えることを特徴とする請求項１ないし４のいずれか一記載の情報入出力システム。
【請求項６】
表示装置と、この表示装置の表示面に情報入力領域を位置させて所定物体による情報入力を検出する情報入力装置と、この情報入力装置からの入力に応じてアプリケーションプログラムを実行する制御装置と、を備える情報入出力システムにおいて、
前記情報入力領域における所定物体による情報入力に応じ、前記アプリケーションプログラムに基づいて前記表示装置に表示されているアプリケーション画像に対する上書き画像を描画する描画手段と、
前記情報入力領域における所定物体による情報入力の際にアクティブになっている前記アプリケーション画像に対応する前記アプリケーションプログラムに変更し、かつ前記情報入力を、変更したアプリケーションプログラムの情報入力とし、前記描画手段により描画された前記上書き画像を、変更した前記アプリケーションプログラムに対応付ける上書き画像対応付け手段と、
を備えることを特徴とする情報入出力システム。
【請求項７】
情報入力装置に設けられた情報入力領域を指示した所定物体の位置に応じて前記情報入力装置から入力される入力情報に基づいて各種情報の制御をコンピュータに実行させるためのプログラムであって、
前記コンピュータに、前記情報入力領域における所定物体による情報入力に応じ、アプリケーションプログラムに基づいて表示装置に表示されているアプリケーション画像に対する上書き画像を描画する描画機能と、
この描画機能により描画された前記上書き画像を、前記情報入力領域における所定物体による情報入力の際にアクティブになっていた前記アプリケーションプログラムに対応付ける上書き画像対応付け機能と、
を実現させることを特徴とするプログラム。
【請求項８】
前記上書き画像対応付け機能は、前記アプリケーションプログラムの前記アプリケーション画像が前記表示装置の表示面を移動する際に、描画された前記上書き画像を当該アプリケーション画像に対応付けることを特徴とする請求項７記載のプログラム。
【請求項９】
前記アプリケーションプログラムまたは前記アプリケーションプログラムの前記アプリケーション画像に対応付けられた前記上書き画像は、当該アプリケーションプログラムが終了する際に、記憶部に保存されることを特徴とする請求項７または８記載のプログラム。
【請求項１０】
前記アプリケーションプログラムの前記アプリケーション画像に対応付けられた前記上書き画像を前記表示装置に一覧表示する上書き画像一覧表示機能と、
この上書き画像一覧表示機能により一覧表示された複数の前記上書き画像から一の前記上書き画像を選択可能とする上書き画像選択機能と、
この上書き画像選択機能により選択された前記上書き画像を前記アプリケーション画像とともに表示する上書き画像再表示機能と、
を前記コンピュータに実現させることを特徴とする請求項７ないし９のいずれか一記載のプログラム。
【請求項１１】
当該アプリケーションプログラムの前記アプリケーション画像に対応付けられた前記上書き画像について、前記アプリケーション画像とともに保存するか、前記上書き画像のみを保存するか、保存しないかのいずれかを選択させる保存方法選択機能を前記コンピュータに実現させることを特徴とする請求項７ないし１０のいずれか一記載のプログラム。
【請求項１２】
情報入力装置に設けられた情報入力領域を指示した所定物体の位置に応じて前記情報入力装置から入力される入力情報に基づいて各種情報の制御をコンピュータに実行させるためのプログラムであって、
前記コンピュータに、前記情報入力領域における所定物体による情報入力の際にアクティブになっている前記アプリケーション画像に対応する前記アプリケーションプログラムに変更し、前記情報入力を、変更したアプリケーションプログラムの情報入力として、変更したアプリケーションプログラムを実行する機能を実現させることを特徴とするプログラム。
【請求項１３】
請求項７ないし１２のいずれか一記載のプログラムを記憶することを特徴とするコンピュータに読み取り可能な記憶媒体。
【手続補正２】
【補正対象書類名】明細書
【補正対象項目名】００１０
【補正方法】変更
【補正の内容】
【００１０】
【課題を解決するための手段】
請求項１記載の発明の情報入出力システムは、表示装置と、この表示装置の表示面に情報入力領域を位置させて所定物体による情報入力を検出する情報入力装置と、この情報入力装置からの入力に応じてアプリケーションプログラムを実行する制御装置と、を備える情報入出力システムにおいて、前記情報入力領域における所定物体による情報入力に応じ、前記アプリケーションプログラムに基づいて前記表示装置に表示されているアプリケーション画像に対する上書き画像を描画する描画手段と、この描画手段により描画された前記上書き画像を、前記情報入力領域における所定物体による情報入力の際にアクティブになっていた前記アプリケーションプログラムに対応付ける上書き画像対応付け手段と、を備える。したがって、アプリケーションプログラムのアプリケーション画像に対して描画された上書き画像が、当該アプリケーションプログラムに対応付けられる。これにより、上書き画像がアプリケーションプログラム単位で管理され、上書き画像がどのアプリケーションプログラムに対して描画されたものかを簡単に識別することが可能になるので、利便性の向上を図ることが可能になる。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項２記載の発明は、請求項１記載の情報入出力システムにおいて、前記上書き画像対応付け手段は、前記アプリケーションプログラムのアプリケーション画像が前記表示装置の表示面を移動する際に、描画された前記上書き画像を当該アプリケーション画像に対応付ける。したがって、アプリケーションプログラムのアプリケーション画像を移動（例えば、ページ捲りやスクロール等）する際に、アプリケーションプログラムのアプリケーション画像と当該アプリケーション画像に対して描画された上書き画像とを確実に対応付けることが可能になるので、更なる利便性の向上を図ることが可能になる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項３記載の発明は、請求項１または２記載の情報入出力システムにおいて、前記アプリケーションプログラムまたは前記アプリケーションプログラムの前記アプリケーション画像に対応付けられた前記上書き画像は、当該アプリケーションプログラムが終了する際に、記憶部に保存される。したがって、アプリケーションプログラムまたはアプリケーションプログラムのアプリケーション画像に対応付けられた上書き画像の保存忘れを防止することが可能になる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
請求項４記載の発明は、請求項１ないし３のいずれか一記載の情報入出力システムにおいて、前記アプリケーションプログラムの前記アプリケーション画像に対応付けられた前記上書き画像を前記表示装置に一覧表示する上書き画像一覧表示手段と、この上書き画像一覧表示手段により一覧表示された複数の前記上書き画像から一の前記上書き画像を選択可能とする上書き画像選択手段と、この上書き画像選択手段により選択された前記上書き画像を前記アプリケーション画像とともに表示する上書き画像再表示手段と、を備える。したがって、一覧表示された複数の上書き画像から選択された一の上書き画像がアプリケーション画像とともに表示される。これにより、例えばページやアプリケーションプログラムを切り替えた後に確認などのために上書き画像を再表示することが可能になる。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
請求項５記載の発明は、請求項１ないし４のいずれか一記載の情報入出力システムにおいて、当該アプリケーションプログラムの前記アプリケーション画像に対応付けられた前記上書き画像について、前記アプリケーション画像とともに保存するか、前記上書き画像のみを保存するか、保存しないかのいずれかを選択させる保存方法選択手段を備える。したがって、上書き画像のみのストロークデータ（描画軌跡の座標データ）の小サイズ保存や、アプリケーション画像に上書き画像を貼り付け保存等を選択することが可能になるため、用途に応じた保存が可能になる。
【手続補正１１】
【補正対象書類名】明細書
【補正対象項目名】００１９
【補正方法】変更
【補正の内容】
【００１９】
請求項６記載の発明の情報入出力システムは、表示装置と、この表示装置の表示面に情報入力領域を位置させて所定物体による情報入力を検出する情報入力装置と、この情報入力装置からの入力に応じてアプリケーションプログラムを実行する制御装置と、を備える情報入出力システムにおいて、情報入力領域における所定物体による情報入力に応じ、アプリケーションプログラムに基づいて表示装置に表示されているアプリケーション画像に対する上書き画像を描画する描画手段と、情報入力領域における所定物体による情報入力の際にアクティブになっているアプリケーション画像に対応するアプリケーションプログラムに変更し、かつ情報入力を、変更したアプリケーションプログラムの情報入力とし、描画手段により描画された上書き画像を、変更したアプリケーションプログラムに対応付ける上書き画像対応付け手段と、を備える。したがって、アクティブになっているアプリケーションプログラムに自動的に変更され、利便性の向上を図ることができる。
【手続補正１２】
【補正対象書類名】明細書
【補正対象項目名】００２０
【補正方法】変更
【補正の内容】
【００２０】
請求項７記載の発明のプログラムは、情報入力装置に設けられた情報入力領域を指示した所定物体の位置に応じて前記情報入力装置から入力される入力情報に基づいて各種情報の制御をコンピュータに実行させるためのプログラムであって、前記コンピュータに、前記情報入力領域における所定物体による情報入力に応じ、アプリケーションプログラムに基づいて表示装置に表示されているアプリケーション画像に対する上書き画像を描画する描画機能と、この描画機能により描画された前記上書き画像を、前記情報入力領域における所定物体による情報入力の際にアクティブになっていた前記アプリケーションプログラムに対応付ける上書き画像対応付け機能と、を実現させる。したがって、アプリケーションプログラムのアプリケーション画像に対して描画された上書き画像が、当該アプリケーションプログラムに対応付けられる。これにより、上書き画像がアプリケーションプログラム単位で管理され、上書き画像がどのアプリケーションプログラムに対して描画されたものかを簡単に識別することが可能になるので、利便性の向上を図ることが可能になる。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
請求項８記載の発明は、請求項７記載のプログラムにおいて、前記上書き画像対応付け機能は、前記アプリケーションプログラムの前記アプリケーション画像が前記表示装置の表示面を移動する際に、描画された前記上書き画像を当該アプリケーション画像に対応付ける。したがって、アプリケーションプログラムのアプリケーション画像を移動（例えば、ページ捲りやスクロール等）する際に、アプリケーションプログラムのアプリケーション画像と当該アプリケーション画像に対して描画された上書き画像とを確実に対応付けることが可能になるので、更なる利便性の向上を図ることが可能になる。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】変更
【補正の内容】
【００２４】
請求項９記載の発明は、請求項７または８記載のプログラムにおいて、前記アプリケーションプログラムまたは前記アプリケーションプログラムの前記アプリケーション画像に対応付けられた前記上書き画像は、当該アプリケーションプログラムが終了する際に、記憶部に保存される。したがって、アプリケーションプログラムまたはアプリケーションプログラムのアプリケーション画像に対応付けられた上書き画像の保存忘れを防止することが可能になる。
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】変更
【補正の内容】
【００２６】
請求項１０記載の発明は、請求項７ないし９のいずれか一記載のプログラムにおいて、前記アプリケーションプログラムの前記アプリケーション画像に対応付けられた前記上書き画像を前記表示装置に一覧表示する上書き画像一覧表示機能と、この上書き画像一覧表示機能により一覧表示された複数の前記上書き画像から一の前記上書き画像を選択可能とする上書き画像選択機能と、この上書き画像選択機能により選択された前記上書き画像を前記アプリケーション画像とともに表示する上書き画像再表示機能と、を前記コンピュータに実現させる。したがって、一覧表示された複数の上書き画像から選択された一の上書き画像がアプリケーション画像とともに表示される。これにより、例えばページやアプリケーションプログラムを切り替えた後に確認などのために上書き画像を再表示することが可能になる。
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】変更
【補正の内容】
【００２８】
請求項１１記載の発明は、請求項７ないし１０のいずれか一記載のプログラムにおいて、当該アプリケーションプログラムの前記アプリケーション画像に対応付けられた前記上書き画像について、前記アプリケーション画像とともに保存するか、前記上書き画像のみを保存するか、保存しないかのいずれかを選択させる保存方法選択機能を前記コンピュータに実現させる。したがって、上書き画像のみのストロークデータ（描画軌跡の座標データ）の小サイズ保存や、アプリケーション画像に上書き画像を貼り付け保存等を選択することが可能になるため、用途に応じた保存が可能になる。
【手続補正２１】
【補正対象書類名】明細書
【補正対象項目名】００２９
【補正方法】変更
【補正の内容】
【００２９】
請求項１２記載の発明のプログラムは、情報入力装置に設けられた情報入力領域を指示した所定物体の位置に応じて情報入力装置から入力される入力情報に基づいて各種情報の制御をコンピュータに実行させるためのプログラムであって、コンピュータに、情報入力領域における所定物体による情報入力の際にアクティブになっているアプリケーション画像に対応するアプリケーションプログラムに変更し、情報入力を、変更したアプリケーションプログラムの情報入力として、変更したアプリケーションプログラムを実行する機能を実現させる。したがって、アクティブになっているアプリケーションプログラムに自動的に変更され、利便性の向上を図ることができる。
【手続補正２２】
【補正対象書類名】明細書
【補正対象項目名】００３０
【補正方法】変更
【補正の内容】
【００３０】
請求項１３記載の発明のコンピュータに読み取り可能な記憶媒体は、請求項７ないし１２のいずれか一記載のプログラムを記憶する。したがって、この記憶媒体に記憶されたプログラムをコンピュータに読み取らせることにより、請求項７ないし１２のいずれか一記載のプログラムと同様の作用を得ることが可能になる。
【手続補正２３】
【補正対象書類名】明細書
【補正対象項目名】００３１
【補正方法】削除
【補正の内容】
【手続補正２４】
【補正対象書類名】明細書
【補正対象項目名】０１５１
【補正方法】変更
【補正の内容】
【０１５１】
【発明の効果】
請求項１記載の発明の情報入出力システムによれば、表示装置と、この表示装置の表示面に情報入力領域を位置させて所定物体による情報入力を検出する情報入力装置と、この情報入力装置からの入力に応じてアプリケーションプログラムを実行する制御装置と、を備える情報入出力システムにおいて、前記情報入力領域における所定物体による情報入力に応じ、前記アプリケーションプログラムに基づいて前記表示装置に表示されているアプリケーション画像に対する上書き画像を描画する描画手段と、この描画手段により描画された前記上書き画像を、前記情報入力領域における所定物体による情報入力の際にアクティブになっていた前記アプリケーションプログラムに対応付ける上書き画像対応付け手段と、を備え、アプリケーションプログラムのアプリケーション画像に対して描画された上書き画像を、当該アプリケーションプログラムに対応付けることにより、上書き画像をアプリケーションプログラム単位で管理することで、上書き画像がどのアプリケーションプログラムに対して描画されたものかを簡単に識別することができるので、利便性の向上を図ることができる。
また、請求項７記載の発明のプログラムによれば、情報入力装置に設けられた情報入力領域を指示した所定物体の位置に応じて前記情報入力装置から入力される入力情報に基づいて各種情報の制御をコンピュータに実行させるためのプログラムであって、前記コンピュータに、前記情報入力領域における所定物体による情報入力に応じ、アプリケーションプログラムに基づいて表示装置に表示されているアプリケーション画像に対する上書き画像を描画する描画機能と、この描画機能により描画された前記上書き画像を、前記情報入力領域における所定物体による情報入力の際にアクティブになっていた前記アプリケーションプログラムに対応付ける上書き画像対応付け機能と、を実現させ、アプリケーションプログラムのアプリケーション画像に対して描画された上書き画像を、当該アプリケーションプログラムに対応付けることにより、上書き画像をアプリケーションプログラム単位で管理することで、上書き画像がどのアプリケーションプログラムに対して描画されたものかを簡単に識別することができるので、利便性の向上を図ることができる。
【手続補正２５】
【補正対象書類名】明細書
【補正対象項目名】０１５２
【補正方法】変更
【補正の内容】
【０１５２】
請求項２記載の発明によれば、請求項１記載の情報入出力システムにおいて、前記上書き画像対応付け手段は、前記アプリケーションプログラムの前記アプリケーション画像が前記表示装置の表示面を移動する際に、描画された前記上書き画像を当該アプリケーション画像に対応付けることにより、アプリケーションプログラムのアプリケーション画像を移動（例えば、ページ捲りやスクロール等）する際に、アプリケーションプログラムのアプリケーション画像と当該アプリケーション画像に対して描画された上書き画像とを確実に対応付けることができるので、更なる利便性の向上を図ることができる。
また、請求項８記載の発明によれば、請求項７記載のプログラムにおいて、前記上書き画像対応付け機能は、前記アプリケーションプログラムの前記アプリケーション画像が前記表示装置の表示面を移動する際に、描画された前記上書き画像を当該アプリケーション画像に対応付けることにより、アプリケーションプログラムのアプリケーション画像を移動（例えば、ページ捲りやスクロール等）する際に、アプリケーションプログラムのアプリケーション画像と当該アプリケーション画像に対して描画された上書き画像とを確実に対応付けることができるので、更なる利便性の向上を図ることができる。
【手続補正２６】
【補正対象書類名】明細書
【補正対象項目名】０１５３
【補正方法】変更
【補正の内容】
【０１５３】
請求項３記載の発明によれば、請求項１または２記載の情報入出力システムにおいて、前記アプリケーションプログラムまたは前記アプリケーションプログラムのアプリケーション画像に対応付けられた上書き画像は、当該アプリケーションプログラムが終了する際に、記憶部に保存されることにより、アプリケーションプログラムまたはアプリケーションプログラムのアプリケーション画像に対応付けられた上書き画像の保存忘れを防止することができる。
また、請求項９記載の発明によれば、請求項７または８記載のプログラムにおいて、前記アプリケーションプログラムまたは前記アプリケーションプログラムのアプリケーション画像に対応付けられた前記上書き画像は、当該アプリケーションプログラムが終了する際に、記憶部に保存されることにより、アプリケーションプログラムまたはアプリケーションプログラムのアプリケーション画像に対応付けられた上書き画像の保存忘れを防止することができる。
【手続補正２７】
【補正対象書類名】明細書
【補正対象項目名】０１５４
【補正方法】変更
【補正の内容】
【０１５４】
請求項４記載の発明によれば、請求項１ないし３のいずれか一記載の情報入出力システムにおいて、前記アプリケーションプログラムの前記アプリケーション画像に対応付けられた前記上書き画像を前記表示装置に一覧表示する上書き画像一覧表示手段と、この上書き画像一覧表示手段により一覧表示された複数の前記上書き画像から一の前記上書き画像を選択可能とする上書き画像選択手段と、この上書き画像選択手段により選択された前記上書き画像を前記アプリケーション画像とともに表示する上書き画像再表示手段と、を備え、一覧表示された複数の上書き画像から選択された一の上書き画像をアプリケーション画像とともに表示することにより、例えばページやアプリケーションプログラムを切り替えた後に確認などのために上書き画像を再表示することができる。
また、請求項１０記載の発明によれば、請求項７ないし９のいずれか一記載のプログラムにおいて、前記アプリケーションプログラムの前記アプリケーション画像に対応付けられた前記上書き画像を前記表示装置に一覧表示する上書き画像一覧表示機能と、この上書き画像一覧表示機能により一覧表示された複数の前記上書き画像から一の前記上書き画像を選択可能とする上書き画像選択機能と、この上書き画像選択機能により選択された前記上書き画像をアプリケーション画像とともに表示する上書き画像再表示機能と、を前記コンピュータに実現させ、一覧表示された複数の上書き画像から選択された一の上書き画像を前記アプリケーション画像とともに表示することにより、例えばページやアプリケーションプログラムを切り替えた後に確認などのために上書き画像を再表示することができる。
【手続補正２８】
【補正対象書類名】明細書
【補正対象項目名】０１５５
【補正方法】変更
【補正の内容】
【０１５５】
請求項５記載の発明によれば、請求項１ないし４のいずれか一記載の情報入出力システムにおいて、当該アプリケーションプログラムの前記アプリケーション画像に対応付けられた前記上書き画像について、前記アプリケーション画像とともに保存するか、前記上書き画像のみを保存するか、保存しないかのいずれかを選択させる保存方法選択手段を備えることにより、上書き画像のみのストロークデータ（描画軌跡の座標データ）の小サイズ保存や、アプリケーション画像に上書き画像を貼り付け保存等を選択することができるので、用途に応じた保存をすることができる。
また、請求項１１記載の発明によれば、請求項７ないし１０のいずれか一記載のプログラムにおいて、当該アプリケーションプログラムのアプリケーション画像に対応付けられた上書き画像について、アプリケーション画像とともに保存するか、上書き画像のみを保存するか、保存しないかのいずれかを選択させる保存方法選択機能をコンピュータに実現させることにより、上書き画像のみのストロークデータ（描画軌跡の座標データ）の小サイズ保存や、アプリケーション画像に上書き画像を貼り付け保存等を選択することができるので、用途に応じた保存をすることができる。
【手続補正２９】
【補正対象書類名】明細書
【補正対象項目名】０１５６
【補正方法】変更
【補正の内容】
【０１５６】
請求項６記載の発明の情報入出力システムによれば、表示装置と、この表示装置の表示面に情報入力領域を位置させて所定物体による情報入力を検出する情報入力装置と、この情報入力装置からの入力に応じてアプリケーションプログラムを実行する制御装置と、を備える情報入出力システムにおいて、情報入力領域における所定物体による情報入力に応じ、アプリケーションプログラムに基づいて表示装置に表示されているアプリケーション画像に対する上書き画像を描画する描画手段と、情報入力領域における所定物体による情報入力の際にアクティブになっているアプリケーション画像に対応するアプリケーションプログラムに変更し、かつ情報入力を、変更したアプリケーションプログラムの情報入力とし、描画手段により描画された上書き画像を、変更したアプリケーションプログラムに対応付ける上書き画像対応付け手段と、を備える。したがって、アクティブになっているアプリケーションプログラムに自動的に変更され、利便性の向上を図ることができる。
また、請求項１２記載の発明のプログラムによれば、情報入力装置に設けられた情報入力領域を指示した所定物体の位置に応じて情報入力装置から入力される入力情報に基づいて各種情報の制御をコンピュータに実行させるためのプログラムであって、コンピュータに、情報入力領域における所定物体による情報入力の際にアクティブになっているアプリケーション画像に対応するアプリケーションプログラムに変更し、情報入力を、変更したアプリケーションプログラムの情報入力として、変更したアプリケーションプログラムを実行する機能を実現させる。したがって、アクティブになっているアプリケーションプログラムに自動的に変更され、利便性の向上を図ることができる。
【手続補正３０】
【補正対象書類名】明細書
【補正対象項目名】０１５７
【補正方法】変更
【補正の内容】
【０１５７】
請求項１３記載の発明のコンピュータに読み取り可能な記憶媒体によれば、請求項７ないし１２のいずれか一記載のプログラムを記憶し、この記憶媒体に記憶されたプログラムをコンピュータに読み取らせることにより、請求項７ないし１２のいずれか一記載のプログラムと同様の作用効果を得ることができる。
【手続補正３１】
【補正対象書類名】明細書
【補正対象項目名】０１５８
【補正方法】削除
【補正の内容】
【手続補正３２】
【補正対象書類名】明細書
【補正対象項目名】０１５９
【補正方法】削除
【補正の内容】
【手続補正３３】
【補正対象書類名】明細書
【補正対象項目名】０１６０
【補正方法】削除
【補正の内容】
【手続補正３４】
【補正対象書類名】明細書
【補正対象項目名】０１６１
【補正方法】削除
【補正の内容】